(57)【特許請求の範囲】
【請求項１】
垂直方向（Ｚ）に可動の移動部材（１００）と、
前記移動部材（１００）とともに前記垂直方向に動かされるように前記移動部材（１００）に取り付けられた可動コンタクト（３０）と、
静止コンタクト（１０、２０）と、
消弧デバイスと、を備え、前記消弧デバイスは、
前記垂直方向（Ｚ）に直交する水平方向（Ｙ）に可動の可動ブラケット（２１０、２２０、３１０、３２０）と、
前記可動ブラケットに取り付けられ、前記可動ブラケットとともに前記水平方向（Ｙ）に可動の消弧シート（４１０、４２０）とを備え、
前記可動コンタクト（３０）は、前記可動コンタクト（３０）が前記静止コンタクト（１０、２０）に電気的に接触するスイッチオン位置と、前記可動コンタクト（３０）が前記静止コンタクト（１０、２０）から分離されるスイッチオフ位置との間を動くように構築され、
前記可動コンタクト（３０）が前記スイッチオン位置と前記スイッチオフ位置との間を動かされるとき、前記可動ブラケットは、前記移動部材（１００）によって第１の位置と第２の位置との間を動かされ、
前記可動ブラケットが前記第１の位置へ動かされたとき、前記消弧シート（４１０、４２０）は、前記可動コンタクト（３０）と前記静止コンタクト（１０、２０）との間のコンタクト領域を越えて動かされ、前記可動コンタクト（３０）が前記静止コンタクト（１０、２０）に電気的に接触することを可能にし、
前記可動ブラケットが前記第２の位置へ動かされたとき、前記消弧シート（４１０、４２０）は、前記可動コンタクト（３０）と前記静止コンタクト（１０、２０）との間の前記コンタクト領域内へ動かされ、前記可動コンタクト（３０）を前記静止コンタクト（１０、２０）から電気的に分離し、前記可動コンタクト（３０）と前記静止コンタクト（１０、２０）との間の電気アークを遮断し、
前記可動ブラケット内にスロット（２２１）が形成され、前記移動部材（１００）に接続シャフト（１１０、１２０）が設けられ、前記接続シャフト（１１０、１２０）の端部が前記スロット（２２１）内に摺動可能に支持され、
前記移動部材（１００）が前記可動コンタクト（３０）を前記スイッチオン位置と前記スイッチオフ位置との間で動かしたとき、前記移動部材（１００）上の前記接続シャフト（１１０、１２０）は前記スロット（２２１）内を摺動し、前記可動ブラケットを押して前記第１の位置と前記第２の位置との間で動かし、
前記可動ブラケット（２１０、２２０、３１０、３２０）は、第１の可動ブラケット（２１０、３１０）および第２の可動ブラケット（２２０、３２０）を備え、
前記消弧シート（４１０、４２０）は、前記第１の可動ブラケット（２１０、３１０）に取り付けられた第１の消弧シート（４１０）と、前記第２の可動ブラケット（２２０、３２０）に取り付けられた第２の消弧シート（４２０）とを備え、
前記スロット（２１１、２２１）は、前記第１の可動ブラケット（２１０、３１０）内に形成された第１のスロット（２１１）と、前記第２の可動ブラケット（２２０、３２０）内に形成された第２のスロット（２２１）とを備え、
前記接続シャフト（１１０、１２０）は、前記第１のスロット（２１１）内に摺動可能に支持された第１の接続シャフト（１１０）と、前記第２のスロット（２２１）内に摺動可能に支持された第２の接続シャフト（１２０）とを備え、
前記移動部材（１００）は、前記第１の可動ブラケット（２１０、３１０）および前記第２の可動ブラケット（２２０、３２０）を駆動して、前記第１の接続シャフト（１１０）および前記第２の接続シャフト（１２０）によって同時に動かすように適合されている、
電気コンタクトシステム。
【請求項２】
前記スロット（２２１）は、前記水平方向（Ｙ）に対して角度をなす傾斜スロットとして形成され、前記スロット（２２１）は、上端と、前記上端より低い位置に配置された下端とを有し、
前記移動部材（１００）が前記可動コンタクト（３０）を前記スイッチオン位置へ動かしたとき、前記可動ブラケットは、前記移動部材（１００）によって前記第１の位置へ動かされ、前記移動部材（１００）上の前記接続シャフト（１１０、１２０）は、前記スロット（２２１）の前記下端へ摺動し、
前記移動部材（１００）が前記可動コンタクト（３０）を前記スイッチオフ位置へ動かしたとき、前記可動ブラケットは、前記移動部材（１００）によって前記第２の位置へ動かされ、前記移動部材（１００）上の前記接続シャフト（１１０、１２０）は、前記スロット（２２１）の前記上端へ摺動する、
請求項１に記載の電気コンタクトシステム。
【請求項３】
１対の支持板（５００）をさらに備え、前記可動ブラケットは、前記水平方向（Ｙ）に摺動可能になるように、前記１対の支持板（５００）に摺動可能に支持されている、
請求項１または２に記載の電気コンタクトシステム。
【請求項４】
前記１対の支持板（５００）のそれぞれは、前記可動ブラケットの両側のそれぞれに配置され、前記水平方向（Ｙ）に延びる摺動スロット（５１０、５２０）が、前記１対の支持板（５００）のそれぞれに形成され、
前記可動ブラケットのそれぞれの側に接続シャフト（３１１、３２１）が設けられ、前記接続シャフト（３１１、３２１）の端部が、前記摺動スロット（５１０、５２０）内に摺動可能に支持されている、
請求項３に記載の電気コンタクトシステム。
【請求項５】
前記可動コンタクト（３０）が前記スイッチオン位置へ動かされたとき、前記第１の消弧シート（４１０）および前記第２の消弧シート（４２０）は、前記可動コンタクト（３０）と前記静止コンタクト（１０、２０）との間の前記コンタクト領域を越えて動かされ、前記可動コンタクト（３０）が前記静止コンタクト（１０、２０）に電気的に接触することを可能にし、
前記可動コンタクト（３０）が前記スイッチオフ位置へ動かされたとき、前記第１の消弧シート（４１０）および前記第２の消弧シート（４２０）は、前記可動コンタクト（３０）と前記静止コンタクト（１０、２０）との間の前記コンタクト領域内へ動かされ、前記可動コンタクト（３０）を前記静止コンタクト（１０、２０）から電気的に分離し、前記可動コンタクト（３０）と前記静止コンタクト（１０、２０）との間の電気アークを遮断する、
請求項４に記載の電気コンタクトシステム。
【請求項６】
前記摺動スロット（５１０、５２０）は、前記支持板（５００）内に形成された第１の摺動スロット（５１０）および第２の摺動スロット（５２０）を備え、
前記接続シャフト（３１１、３２１）は、前記第１の可動ブラケット（２１０、３１０）に設けられた第１の接続シャフト（３１１）と、前記第２の可動ブラケット（２２０、３２０）に設けられた第２の接続シャフト（３２１）とを備え、
前記第１の接続シャフト（３１１）の端部が、前記第１の摺動スロット（５１０）内に摺動可能に支持され、前記第２の接続シャフト（３２１）の端部が、前記第２の摺動スロット（５２０）内に摺動可能に支持されている、
請求項５に記載の電気コンタクトシステム。
【請求項７】
前記移動部材（１００）が前記可動コンタクト（３０）を前記スイッチオン位置から前記スイッチオフ位置へ動かしたとき、前記第１の消弧シート（４１０）および前記第２の消弧シート（４２０）は、前記移動部材（１００）によって前記コンタクト領域の両側から前記可動コンタクト（３０）と前記静止コンタクト（１０、２０）との間の前記コンタクト領域内へそれぞれ動かされ、前記可動コンタクト（３０）と前記静止コンタクト（１０、２０）との間の前記電気アークを遮断する、
請求項５に記載の電気コンタクトシステム。
【請求項８】
前記移動部材（１００）が前記可動コンタクト（３０）を前記スイッチオフ位置から前記スイッチオン位置へ動かしたとき、前記第１の消弧シート（４１０）および前記第２の消弧シート（４２０）は、前記移動部材（１００）によって前記コンタクト領域の両側から前記可動コンタクト（３０）と前記静止コンタクト（１０、２０）との間の前記コンタクト領域の外へそれぞれ動かされ、前記可動コンタクト（３０）が前記静止コンタクト（１０、２０）に電気的に接触することを可能にする、
請求項５に記載の電気コンタクトシステム。
【請求項９】
前記可動コンタクト（３０）が前記スイッチオフ位置へ動かされたとき、前記第１の消弧シート（４１０）の内側縁部が、前記第２の消弧シート（４２０）の内側縁部に接触または隣接し、前記可動コンタクト（３０）と前記静止コンタクト（１０、２０）との間の前記電気アークを遮断する、
請求項７に記載の電気コンタクトシステム。
【請求項１０】
前記第１の可動ブラケット（２１０、３１０）は、第１の案内部材（２１０）と、前記第１の案内部材（２１０）に接続された第１の支持部材（３１０）とを備え、前記第１のスロット（２１１）は、前記第１の案内部材（２１０）内に形成され、前記第１の消弧シート（４１０）は、前記第１の支持部材（３１０）に取り付けられ、前記第１の接続シャフト（３１１）は、前記第１の支持部材（３１０）に設けられ、
前記第２の可動ブラケット（２２０、３２０）は、第２の案内部材（２２０）と、前記第２の案内部材（２２０）に接続された第２の支持部材（３２０）とを備え、前記第２のスロット（２２１）は、前記第２の案内部材（２２０）内に形成され、前記第２の消弧シート（４２０）は、前記第２の支持部材（３２０）に取り付けられ、前記第２の接続シャフト（３２１）は、前記第２の支持部材（３２０）に設けられている、
請求項６に記載の電気コンタクトシステム。
【請求項１１】
前記第１の案内部材（２１０）は、１対の第１の垂直側壁を備え、前記１対の第１の垂直側壁のそれぞれに前記第１のスロット（２１１）が形成され、
前記第２の案内部材（２２０）は、１対の第２の垂直側壁を備え、前記１対の第２の垂直側壁のそれぞれに前記第２のスロット（２２１）が形成されている、
請求項１０に記載の電気コンタクトシステム。
【請求項１２】
垂直方向（Ｚ）に可動の移動部材（１００）と、
前記移動部材（１００）とともに前記垂直方向に動かされるように前記移動部材（１００）に取り付けられた可動コンタクト（３０）と、
静止コンタクト（１０、２０）と、
消弧デバイスと、を備え、前記消弧デバイスは、
前記垂直方向（Ｚ）に直交する水平方向（Ｙ）に可動の可動ブラケット（２１０、２２０、３１０、３２０）と、
前記可動ブラケットに取り付けられ、前記可動ブラケットとともに前記水平方向（Ｙ）に可動の消弧シート（４１０、４２０）とを備え、
前記可動コンタクト（３０）は、前記可動コンタクト（３０）が前記静止コンタクト（１０、２０）に電気的に接触するスイッチオン位置と、前記可動コンタクト（３０）が前記静止コンタクト（１０、２０）から分離されるスイッチオフ位置との間を動くように構築され、
前記可動コンタクト（３０）が前記スイッチオン位置と前記スイッチオフ位置との間を動かされるとき、前記可動ブラケットは、前記移動部材（１００）によって第１の位置と第２の位置との間を動かされ、
前記可動ブラケットが前記第１の位置へ動かされたとき、前記消弧シート（４１０、４２０）は、前記可動コンタクト（３０）と前記静止コンタクト（１０、２０）との間のコンタクト領域を越えて動かされ、前記可動コンタクト（３０）が前記静止コンタクト（１０、２０）に電気的に接触することを可能にし、
前記可動ブラケットが前記第２の位置へ動かされたとき、前記消弧シート（４１０、４２０）は、前記可動コンタクト（３０）と前記静止コンタクト（１０、２０）との間の前記コンタクト領域内へ動かされ、前記可動コンタクト（３０）を前記静止コンタクト（１０、２０）から電気的に分離し、前記可動コンタクト（３０）と前記静止コンタクト（１０、２０）との間の電気アークを遮断し、
前記静止コンタクト（１０、２０）は、第１の静止接点（１１）を有するように形成された第１の静止コンタクト（１０）と、第２の静止接点（２１）を有するように形成された第２の静止コンタクト（２０）とを備え、
前記第１の静止接点（１１）に電気的に接触するように適合された第１の可動接点（３１）が、前記可動コンタクト（３０）の一端に形成され、前記第２の静止接点（２１）に電気的に接触するように適合された第２の可動接点（３２）が、前記可動コンタクト（３０）の他端に形成され、
前記可動コンタクト（３０）が前記スイッチオン位置へ動かされたとき、前記第１の可動接点（３１）および前記第２の可動接点（３２）は、それぞれ前記第１の静止接点（１１）および前記第２の静止接点（２１）のそれぞれに電気的に接触し、
前記可動コンタクト（３０）が前記スイッチオフ位置へ動かされたとき、前記第１の可動接点（３１）および前記第２の可動接点（３２）は、それぞれ前記第１の静止接点（１１）および前記第２の静止接点（２１）のそれぞれから分離される、
電気コンタクトシステム。
【請求項１３】
前記消弧シート（４１０、４２０）は、絶縁セラミック材料から作られている、請求項１または１２に記載の電気コンタクトシステム。
【発明の詳細な説明】
【技術分野】
【０００１】
関連出願の相互参照
本出願は、開示全体が参照により本明細書に組み込まれている、２０１７年６月５日に中国国家知識産権局に出願された中国特許出願第２０１７１０４１３４４２．２号の利益を主張する。
【０００２】
本発明は、電気コンタクトシステムに関し、より詳細には、消弧デバイスを有している電気コンタクトシステムに関する。
【背景技術】
【０００３】
電気スイッチデバイスおよび制御器具内の電気コンタクトは、オンからオフまたはオフからオンへの切換え中に電気アークを放出および生成することがある。電気アークの生成は、電気回路の接続および切断を遅延させ、さらには電気コンタクトを焼損させることがあり、その結果、電気コンタクトの溶融および溶着が生じることがある。深刻な場合、電気スイッチデバイスの発火および爆発を引き起こすこともある。したがって、効率的で確実な消弧作用を実現するように消弧デバイスを設計することが必要とされている。
【０００４】
関連技術では、高圧直流リレーなどの電気スイッチデバイスは通常、封止された膨張性の磁界を使用して金属相の電気アークを横方向に長くし、したがって消弧媒体中で電気アークを迅速に冷却してイオンを除去することができる。そのような方法には良好な消弧作用があるが、その製造プロセスは複雑であり、したがってコストが高くなる。別の種類の消弧デバイスは、磁気吹きによって電気アークを金属格子板に吹き付けるように構成されており、電気アークは、金属格子板によっていくつかの区分の短い電気アークに切断され、それによりこれらの短い電気アーク区分間の間隙の初期絶縁耐力を強化する。加えて、金属格子板は、冷却作用および表面の脱イオン作用を改善する。しかし、この消弧デバイスの消弧速度は理想的ではない。
【発明の概要】
【発明が解決しようとする課題】
【０００５】
本発明は、上述した欠点の少なくとも１つの面を克服または軽減するためになされたものである。
【課題を解決するための手段】
【０００６】
本発明の一目的によれば、効率的で確実な消弧作用を実現する簡単な構造および小さい体積を有する電気コンタクトシステムが提供される。
【０００７】
本発明の一態様によれば、垂直方向に可動の移動部材と、移動部材とともに垂直方向に動かされるように移動部材に取り付けられた可動コンタクトと、静止コンタクトと、消弧デバイスとを備える電気コンタクトシステムが提供される。消弧デバイスは、垂直方向に直交する水平方向に可動の可動ブラケットと、可動ブラケットに取り付けられ、可動ブラケットとともに水平方向に可動の消弧シートとを備える。可動コンタクトは、可動コンタクトが静止コンタクトに電気的に接触するスイッチオン位置と、可動コンタクトが静止コンタクトから分離されるスイッチオフ位置との間を動くように構築される。可動コンタクトがスイッチオン位置とスイッチオフ位置との間を動かされるとき、可動ブラケットは、移動部材によって第１の位置と第２の位置との間を動かされる。可動ブラケットが第１の位置へ動かされたとき、消弧シートは、可動コンタクトと静止コンタクトとの間のコンタクト領域を越えて動かされ、可動コンタクトが静止コンタクトに電気的に接触することを可能にする。可動ブラケットが第２の位置へ動かされたとき、消弧シートは、可動コンタクトと静止コンタクトとの間のコンタクト領域内へ動かされ、可動コンタクトを静止コンタクトから電気的に分離し、可動コンタクトと静止コンタクトとの間の電気アークを遮断する。
【０００８】
本発明の例示的な実施形態によれば、可動ブラケット内にスロットが形成され、移動部材に接続シャフトが設けられ、接続シャフトの端部がスロット内に摺動可能に支持される。移動部材が可動コンタクトをスイッチオン位置とスイッチオフ位置との間で動かしたとき、移動部材上の接続シャフトはスロット内を摺動し、可動ブラケットを押して第１の位置と第２の位置との間で動かす。
【０００９】
本発明の別の例示的な実施形態によれば、スロットは、水平方向に対して角度をなす傾斜スロットとして形成され、スロットは、上端と、上端より低い位置に配置された下端とを有する。移動部材が可動コンタクトをスイッチオン位置へ動かしたとき、可動ブラケットは、移動部材によって第１の位置へ動かされ、移動部材上の接続シャフトは、スロットの下端へ摺動する。移動部材が可動コンタクトをスイッチオフ位置へ動かしたとき、可動ブラケットは、移動部材によって第２の位置へ動かされ、移動部材上の接続シャフトは、スロットの上端へ摺動する。
【００１０】
本発明の別の例示的な実施形態によれば、電気コンタクトシステムは、１対の支持板をさらに備え、可動ブラケットは、水平方向に摺動可能になるように、１対の支持板に摺動可能に支持されている。
【００１１】
本発明の別の例示的な実施形態によれば、１対の支持板のそれぞれは、可動ブラケットの両側のそれぞれに配置され、水平方向に延びる摺動スロットが、１対の支持板のそれぞれに形成される。可動ブラケットのそれぞれの側に接続シャフトが設けられ、接続シャフトの端部が、摺動スロット内に摺動可能に支持されている。
【００１２】
本発明の別の例示的な実施形態によれば、可動ブラケットは、第１の可動ブラケットおよび第２の可動ブラケットを備え、消弧シートは、第１の可動ブラケットに取り付けられた第１の消弧シートと、第２の可動ブラケットに取り付けられた第２の消弧シートとを備え、スロットは、第１の可動ブラケット内に形成された第１のスロットと、第２の可動ブラケット内に形成された第２のスロットとを備え、接続シャフトは、第１のスロット内に摺動可能に支持された第１の接続シャフトと、第２のスロット内に摺動可能に支持された第２の接続シャフトとを備える。移動部材は、第１の可動ブラケットおよび第２の可動ブラケットを駆動して、第１の接続シャフトおよび第２の接続シャフトによって同時に動かすように適合されている。
【００１３】
本発明の別の例示的な実施形態によれば、可動コンタクトがスイッチオン位置へ動かされたとき、第１の消弧シートおよび第２の消弧シートは、可動コンタクトと静止コンタクトとの間のコンタクト領域を越えて動かされ、可動コンタクトが静止コンタクトに電気的に接触することを可能にし、可動コンタクトはスイッチオフ位置へ動かされたとき、第１の消弧シートおよび第２の消弧シートは、可動コンタクトと静止コンタクトとの間のコンタクト領域内へ動かされ、可動コンタクトを静止コンタクトから電気的に分離し、可動コンタクトと静止コンタクトとの間の電気アークを遮断する。
【００１４】
本発明の別の例示的な実施形態によれば、摺動スロットは、支持板内に形成された第１の摺動スロットおよび第２の摺動スロットを備える。接続シャフトは、第１の可動ブラケットに設けられた第１の接続シャフトと、第２の可動ブラケットに設けられた第２の接続シャフトとを備える。第１の接続シャフトの端部が、第１の摺動スロット内に摺動可能に支持され、第２の接続シャフトの端部が、第２の摺動スロット内に摺動可能に支持されている。
【００１５】
本発明の別の例示的な実施形態によれば、移動部材が可動コンタクトをスイッチオン位置からスイッチオフ位置へ動かしたとき、第１の消弧シートおよび第２の消弧シートは、移動部材によってコンタクト領域の両側から可動コンタクトと静止コンタクトとの間のコンタクト領域内へそれぞれ動かされ、可動コンタクトと静止コンタクトとの間の電気アークを遮断する。
【００１６】
本発明の別の例示的な実施形態によれば、移動部材が可動コンタクトをスイッチオフ位置からスイッチオン位置へ動かしたとき、第１の消弧シートおよび第２の消弧シートは、移動部材によってコンタクト領域の両側から可動コンタクトと静止コンタクトとの間のコンタクト領域の外へそれぞれ動かされ、可動コンタクトが静止コンタクトに電気的に接触することを可能にする。
【００１７】
本発明の別の例示的な実施形態によれば、可動コンタクトがスイッチオフ位置へ動かされたとき、第１の消弧シートの内側縁部が、第２の消弧シートの内側縁部に接触または隣接し、可動コンタクトと静止コンタクトとの間の電気アークを遮断する。
【００１８】
本発明の別の例示的な実施形態によれば、第１の可動ブラケットは、第１の案内部材と、第１の案内部材に接続された第１の支持部材とを備え、第１のスロットは、第１の案内部材内に形成され、第１の消弧シートは、第１の支持部材に取り付けられ、第１の接続シャフトは、第１の支持部材に設けられている。第２の可動ブラケットは、第２の案内部材と、第２の案内部材に接続された第２の支持部材とを備え、第２のスロットは、第２の案内部材内に形成され、第２の消弧シートは、第２の支持部材に取り付けられ、第２の接続シャフトは、第２の支持部材に設けられている。
【００１９】
本発明の別の例示的な実施形態によれば、第１の案内部材は、１対の第１の垂直側壁を備え、１対の第１の垂直側壁のそれぞれに第１のスロットが形成され、第２の案内部材は、１対の第２の垂直側壁を備え、１対の第２の垂直側壁のそれぞれに第２のスロットが形成されている。
【００２０】
本発明の別の例示的な実施形態によれば、静止コンタクトは、第１の静止接点を有するように形成された第１の静止コンタクトと、第２の静止接点を有するように形成された第２の静止コンタクトとを備え、第１の静止接点に電気的に接触するように適合された第１の可動接点が、可動コンタクトの一端に形成され、第２の静止接点に電気的に接触するように適合された第２の可動接点が、可動コンタクトの他端に形成され、可動コンタクトがスイッチオン位置へ動かされたとき、第１の可動接点および第２の可動接点は、それぞれ第１の静止接点および第２の静止接点のそれぞれに電気的に接触し、可動コンタクトがスイッチオフ位置へ動かされたとき、第１の可動接点および第２の可動接点は、それぞれ第１の静止接点および第２の静止接点のそれぞれから分離される。
【００２１】
本発明の別の例示的な実施形態によれば、消弧シートは、絶縁セラミック材料から作られている。
【００２２】
本発明の上記の様々な例示的な実施形態では、消弧シートは、可動コンタクトと静止コンタクトとの間のコンタクト領域内へ迅速に動かすことができる。それによって、可動コンタクトと静止コンタクトとの間の電気アークを迅速に遮断し、効率的で確実な消弧作用を実現することができる。加えて、電気コンタクトシステムは非常に簡単であり、コストが低減される。
【００２３】
本発明の上記その他の機構は、本発明の例示的な実施形態について添付の図面を参照して詳細に説明することによって、より明らかになるであろう。
【図面の簡単な説明】
【００２４】
【図１】本発明の例示的な実施形態による電気コンタクトシステムの例示的な分解図である。
【図２】可動コンタクトがスイッチオン位置にあり、可動コンタクトが静止コンタクトに電気的に接触している、本発明の例示的な実施形態による電気コンタクトシステムの例示的な斜視図である。
【図３】可動コンタクトがスイッチオフ位置にあり、可動コンタクトが静止コンタクトから分離されている、本発明の例示的な実施形態による電気コンタクトシステムの例示的な斜視図である。
【発明を実施するための形態】
【００２５】
以下、本開示の例示的な実施形態について、添付の図面を参照して詳細に説明する。添付の図面では、同じ参照番号が同様の要素を指す。しかし本開示は、多くの異なる形態で実施することができ、本明細書に記載の実施形態に限定されると解釈されるべきではなく、むしろこれらの実施形態は、本開示が徹底的かつ完全なものになるように提供されており、本開示の概念を当業者に十分に伝えるものである。
【００２６】
以下の詳細な説明では、説明の目的で、開示する実施形態の徹底的な理解を提供するために、多数の具体的な詳細について述べる。しかし、これらの具体的な詳細がなくても、１つまたは複数の実施形態を実施することができることは明らかである。他の場合、よく知られている構造およびデバイスは、図面を簡略化するために概略的に示されている。
【００２７】
本発明の一般概念によれば、垂直方向に可動の移動部材と、移動部材とともに垂直方向に動かされるように移動部材に取り付けられた可動コンタクトと、静止コンタクトと、消弧デバイスとを備える電気コンタクトシステムが提供される。消弧デバイスは、垂直方向に直交する水平方向に可動の可動ブラケットと、可動ブラケットに取り付けられ、可動ブラケットとともに水平方向に可動の消弧シートとを備える。可動コンタクトは、可動コンタクトが静止コンタクトに電気的に接触するスイッチオン位置と、可動コンタクトが静止コンタクトから分離されるスイッチオフ位置との間を動かされる。可動コンタクトがスイッチオン位置とスイッチオフ位置との間を動かされるとき、可動ブラケットは、移動部材によって第１の位置と第２の位置との間を動かされる。可動ブラケットが第１の位置へ動かされたとき、消弧シートは、可動コンタクトと静止コンタクトとの間のコンタクト領域を越えて動かされ、可動コンタクトが静止コンタクトに電気的に接触することを可能にする。可動ブラケットが第２の位置へ動かされたとき、消弧シートは、可動コンタクトと静止コンタクトとの間のコンタクト領域内へ動かされ、可動コンタクトを静止コンタクトから電気的に分離し、可動コンタクトと静止コンタクトとの間の電気アークを遮断する。
【００２８】
図１は、本発明の例示的な実施形態による電気コンタクトシステムの例示的な分解図であり、図２は、可動コンタクト３０がスイッチオン位置にあり、可動コンタクト３０が静止コンタクト１０、２０に電気的に接触している、本発明の例示的な実施形態による電気コンタクトシステムの例示的な斜視図であり、図３は、可動コンタクト３０がスイッチオフ位置にあり、可動コンタクト３０が静止コンタクト１０、２０から分離されている、本発明の例示的な実施形態による電気コンタクトシステムの例示的な斜視図である。
【００２９】
図１〜図３に示すように、一実施形態では、電気コンタクトシステムは、シート（図示せず）に取り付けられ、主に移動部材１００、可動コンタクト３０、および静止コンタクト１０、２０を備える。移動部材１００は、垂直方向Ｚに可動である。可動コンタクト３０は、移動部材１００とともに垂直方向Ｚに動かされるように、移動部材１００に取り付けられる。
【００３０】
図１〜図３に示すように、一実施形態では、可動コンタクト３０は、移動部材１００によって、可動コンタクト３０が静止コンタクト１０、２０に電気的に接触するスイッチオン位置（図２に示す位置）と、可動コンタクト３０が静止コンタクト１０、２０から分離されるスイッチオフ位置（図３に示す位置）との間を動かすことができる。
【００３１】
図１〜図３に示すように、一実施形態では、電気コンタクトシステムは、消弧デバイスをさらに備える。消弧デバイスは主に、可動ブラケット２１０、２２０、３１０、３２０および消弧シート４１０、４２０を備える。可動ブラケット２１０、２２０、３１０、３２０は、シートに対して、垂直方向Ｚに直交する水平方向Ｙに可動である。消弧シート４１０、４２０は、可動ブラケットに取り付けられ、可動ブラケットとともにシートに対して水平方向Ｙに可動である。
【００３２】
図１〜図３に示すように、一実施形態では、移動部材１００が駆動されて垂直方向Ｚに動いたとき、可動コンタクト３０は、移動部材１００によって、スイッチオン位置とスイッチオフ位置との間をシートに対して垂直方向Ｚに動かされ、可動ブラケットは、移動部材１００によって第１の位置と第２の位置との間を水平方向Ｙに動かされる。
【００３３】
図１〜図２に示すように、一実施形態では、可動ブラケットが図２に示す第１の位置へ動かされたとき、消弧シート４１０、４２０は、可動コンタクト３０と静止コンタクト１０、２０との間のコンタクト領域を越えて水平方向Ｙに動かされ、可動コンタクト３０が静止コンタクト１０、２０に電気的に接触することを可能にする。
【００３４】
図１および図３に示すように、一実施形態では、可動ブラケットが図３に示す第２の位置へ動かされたとき、消弧シート４１０、４２０は、可動コンタクト３０と静止コンタクト１０、２０との間のコンタクト領域内へ動かされ、可動コンタクト３０を静止コンタクト１０、２０から電気的に分離し、可動コンタクト３０と静止コンタクト１０、２０との間の電気アークを遮断する。
【００３５】
図１〜図３に示すように、一実施形態では、可動ブラケット内にスロット２２１が斜めに形成され、移動部材１００に接続シャフト１１０、１２０が設けられ、接続シャフト１１０、１２０の端部がスロット２２１内に摺動可能に支持される。
【００３６】
図１〜図３に示すように、一実施形態では、移動部材１００が駆動され、可動コンタクト３０をスイッチオン位置とスイッチオフ位置との間で垂直方向Ｚに動かしたとき、移動部材１００上の接続シャフト１１０、１２０はスロット２２１内を摺動し、可動ブラケットを押して第１の位置と第２の位置との間で水平方向Ｙに動かす。
【００３７】
図１〜図３に示すように、一実施形態では、スロット２２１は、水平方向Ｙに対して角度をなす傾斜スロットとして形成され、スロット２２１は、上端と、垂直方向Ｚに上端より低い位置に配置された下端とを有する。
【００３８】
図２に示すように、一実施形態では、移動部材１００が駆動され、可動コンタクト３０をスイッチオン位置へ動かしたとき、可動ブラケットは、移動部材１００によって第１の位置へ動かされ、移動部材１００上の接続シャフト１１０、１２０は、スロット２２１の下端へ摺動する。
【００３９】
図３に示すように、一実施形態では、移動部材１００が駆動され、可動コンタクト３０をスイッチオフ位置へ動かしたとき、可動ブラケットは、移動部材１００によって第２の位置へ動かされ、移動部材１００上の接続シャフト１１０、１２０は、スロット２２１の上端へ摺動する。
【００４０】
図１〜図３に示すように、一実施形態では、電気コンタクトシステムは、シートに固定された１対の支持板５００をさらに備える。可動ブラケットは、１対の支持板５００に摺動可能に支持され、水平方向Ｙに摺動可能である。
【００４１】
図１〜図３に示すように、一実施形態では、１対の支持板５００は、可動ブラケットの両側に配置され、水平方向Ｙに延びる摺動スロット５１０、５２０が、１対の支持板５００のそれぞれに形成される。可動ブラケットのそれぞれの側に接続シャフト３１１、３２１が設けられ、接続シャフト３１１、３２１の端部が、摺動スロット５１０、５２０内に摺動可能に支持されている。このようにして、接続シャフト３１１、３２１によって可動ブラケットを水平方向Ｙに動かすことができる。
【００４２】
図１〜図３に示すように、一実施形態では、可動ブラケット２１０、２２０、３１０、３２０は、第１の可動ブラケット２１０、３１０および第２の可動ブラケット２２０、３２０を備える。消弧シート４１０、４２０は、第１の可動ブラケット２１０、３１０に取り付けられた第１の消弧シート４１０と、第２の可動ブラケット２２０、３２０に取り付けられた第２の消弧シート４２０とを備える。スロット２１１、２２１は、第１の可動ブラケット２１０、３１０内に形成された第１のスロット２１１と、第２の可動ブラケット２２０、３２０内に形成された第２のスロット２２１とを備える。接続シャフト１１０、１２０は、第１のスロット２１１内に摺動可能に支持された第１の接続シャフト１１０と、第２のスロット２２１内に摺動可能に支持された第２の接続シャフト１２０とを備える。移動部材１００は、第１の接続シャフト１１０および第２の接続シャフト１２０によって第１の可動ブラケット２１０、３１０および第２の可動ブラケット２２０、３２０を水平方向Ｙに同時に動かす。
【００４３】
図２に示すように、一実施形態では、可動コンタクト３０が駆動され、スイッチオン位置へ動いたとき、第１の消弧シート４１０および第２の消弧シート４２０は、可動コンタクト３０と静止コンタクト１０、２０との間のコンタクト領域を越えて動かされ、可動コンタクト３０が静止コンタクト１０、２０に電気的に接触することを可能にする。
【００４４】
図３に示すように、一実施形態では、可動コンタクト３０が駆動され、スイッチオフ位置へ動いたとき、第１の消弧シート４１０および第２の消弧シート４２０は、可動コンタクト３０と静止コンタクト１０、２０との間のコンタクト領域内へ動かされ、可動コンタクト３０を静止コンタクト１０、２０から電気的に分離し、可動コンタクト３０と静止コンタクト１０、２０との間の電気アークを遮断する。
【００４５】
図１〜図３に示すように、一実施形態では、摺動スロット５１０、５２０は、支持板５００内に形成された第１の摺動スロット５１０および第２の摺動スロット５２０を備える。接続シャフト３１１、３２１は、第１の可動ブラケット２１０、３１０に設けられた第１の接続シャフト３１１と、第２の可動ブラケット２２０、３２０に設けられた第２の接続シャフト３２１とを備える。第１の接続シャフト３１１の端部が、第１の摺動スロット５１０内に摺動可能に支持され、第２の接続シャフト３２１の端部が、第２の摺動スロット５２０内に摺動可能に支持されている。
【００４６】
図１〜図３に示すように、一実施形態では、移動部材１００が可動コンタクト３０をスイッチオン位置からスイッチオフ位置へ動かしたとき、第１の消弧シート４１０および第２の消弧シート４２０は、移動部材１００によってそれぞれコンタクト領域の両側から可動コンタクト３０と静止コンタクト１０、２０との間のコンタクト領域内へ水平方向Ｙに動かされ、可動コンタクト３０と静止コンタクト１０、２０との間の電気アークを遮断する。
【００４７】
図１〜図３に示すように、一実施形態では、移動部材１００が可動コンタクト３０をスイッチオフ位置からスイッチオン位置へ動かしたとき、第１の消弧シート４１０および第２の消弧シート４２０は、移動部材１００によってそれぞれコンタクト領域の両側から可動コンタクト３０と静止コンタクト１０、２０との間のコンタクト領域の外へ水平方向Ｙに動かされ、可動コンタクト３０が静止コンタクト１０、２０に電気的に接触することを可能にする。
【００４８】
図３に示すように、一実施形態では、可動コンタクト３０がスイッチオフ位置へ動かされたとき、第１の消弧シート４１０の内側縁部が、第２の消弧シート４２０の内側縁部に接触または隣接し、可動コンタクト３０と静止コンタクト１０、２０との間の電気アークを遮断する。
【００４９】
図１〜図３に示すように、一実施形態では、第１の可動ブラケット２１０、３１０は、第１の案内部材２１０と、第１の案内部材２１０に接続された第１の支持部材３１０とを備える。第１のスロット２１１は、第１の案内部材２１０内に形成され、第１の消弧シート４１０は、第１の支持部材３１０に取り付けられる。第１の接続シャフト３１１は、第１の支持部材３１０に設けられている。
【００５０】
同様に、図１〜図３に示すように、一実施形態では、第２の可動ブラケット２２０、３２０は、第２の案内部材２２０と、第２の案内部材２２０に接続された第２の支持部材３２０とを備える。第２のスロット２２１は、第２の案内部材２２０内に形成され、第２の消弧シート４２０は、第２の支持部材３２０に取り付けられる。第２の接続シャフト３２１は、第２の支持部材３２０に設けられている。
【００５１】
図１〜図３に示すように、一実施形態では、第１の案内部材２１０は、１対の第１の垂直側壁を備え、１対の第１の垂直側壁のそれぞれに第１のスロット２１１が形成されている。第２の案内部材２２０は、１対の第２の垂直側壁を備え、１対の第２の垂直側壁のそれぞれに第２のスロット２２１が形成されている。
【００５２】
本発明の例示的な実施形態では、消弧シート４１０、４２０は、絶縁セラミック材料から作ることができる。第１の支持部材３１０および第２の支持部材３２０は、コストを節約するために、絶縁プラスチック材料から作ることができる。この例では、第１の支持部材３１０および第２の支持部材３２０は、それぞれプラスチック熱間リベット溶接によって第１の案内部材２１０および第２の案内部材２２０に接続することができる。第１の消弧シート４１０および第２の消弧シート４２０は、それぞれ第１の支持部材３１０および第２の支持部材３２０内に埋め込むことができる。別の実施形態では、第１の支持部材３１０および第２の支持部材３２０は、それぞれ第１の消弧シート４１０および第２の消弧シート４２０に成形することができる。
【００５３】
図１〜図３に示すように、一実施形態では、シートに固定された静止コンタクト１０、２０は、第１の静止接点１１を有するように形成された第１の静止コンタクト１０と、第２の静止接点２１を有するように形成された第２の静止コンタクト２０とを備える。第１の静止接点１１に電気的に接触するように適合された第１の可動接点３１が、可動コンタクト３０の一端に形成され、第２の静止接点２１に電気的に接触するように適合された第２の可動接点３２が、可動コンタクト３０の他端に形成される。
【００５４】
図２に示すように、一実施形態では、可動コンタクト３０がスイッチオン位置へ動かされたとき、第１の可動接点３１および第２の可動接点３２は、それぞれ第１の静止接点１１および第２の静止接点２１に電気的に接触する。
【００５５】
図３に示すように、一実施形態では、可動コンタクト３０がスイッチオフ位置へ動かされたとき、第１の可動接点３１および第２の可動接点３２は、それぞれ第１の静止接点１１および第２の静止接点２１から分離される。
【００５６】
上記の実施形態は、制限ではなく例示することを意図したものであることが、当業者には理解されよう。たとえば、当業者であれば多くの修正を上記の実施形態に加えることができ、異なる実施形態に記載した様々な機構は、構造または原理上矛盾することなく、互いに自由に組み合わせることができる。
【００５７】
いくつかの例示的な実施形態について図示および説明したが、本開示の原理および趣旨から逸脱することなく、様々な変更または修正をこれらの実施形態に加えることができ、本開示の範囲は、特許請求の範囲およびその均等物に定義されることが、当業者には理解されよう。
【００５８】
本明細書では、「ａ」または「ａｎ」という単語に続いて単数形で記載されている要素は、そのような除外が明示的に示されていない限り、前記要素またはステップの複数を除外するものではないと理解されたい。さらに、本発明の「一実施形態」への言及は、記載の機構を同様に組み込む追加の実施形態の存在を除外すると解釈されることを意図したものではない。さらに、逆の内容が明示的に示されていない限り、特定の特性を有する１つの要素または複数の要素を「備える」または「有する」実施形態は、その特性を有していない追加のそのような要素を含むこともできる。
【図１】
0006858279.tif 000002
【図２】
0006858279.tif 000003
【図３】
0006858279.tif 000004